(57)【要約】【課題】ネイルグルーが十分に爪にまで達すると共に、作業完了後の爪が自然な感じに仕上がり、ネイルカラー等により爪の補修を隠す必要が無いような爪修理等に用いるシルクラップ又はファイバーラップを提供すること。【解決手段】繊維２の裏面側にドット状粘着剤３を点在的に配置したことを特徴とする爪修理等に用いるシルクラップ１又はファイバーラップ４。【選択図】図１
2014140448.tif 000002
【特許請求の範囲】
【請求項１】
爪の補修やエクステンション用途に用いるシルクラップやファイバーラップにおいて、繊維の裏面側全面にドット状粘着剤を点在的に配置したことを特徴とする爪修理等に用いるシルクラップ又はファイバーラップ。
【請求項２】
上記ドット状粘着剤が、ポリアクリル酸エステルを主成分とした粘着剤であることを特徴とする上記請求項１に記載の爪修理等に用いるシルクラップ又はファイバーラップ。
【発明の詳細な説明】
【技術分野】
【０００１】
この発明は、爪修理や爪のエクステンション用途に用いるシルクラップやファイバーラップに関するものである。
【背景技術】
【０００２】
自爪に付け爪をする場合、自爪に両面テープを貼り付けてその上に付け爪を貼り付ける方法や、あるいは、ネイルグルー（爪用瞬間接着剤―シアノアクリレート）と呼ばれる爪用接着剤を用いて、自爪に付け爪を接着する方法がある。
【０００３】
ネイルグルーによる付け爪は、両面テープを使用する場合に比較して、爪の形状が付け爪と完全に一致していなくともネイルグルー自体が両者の隙間を埋めるため、接着力不足等が生じないので幅広く用いられている（例えば、特許文献１参照）。
【０００４】
また、このネイルグルーは、付け爪を接着する用途以外に、その硬化性を利用して、爪が割れたり欠けたりした際の修理や補強、時にはエクステンション（爪を伸ばす行為）をする場合も用いられている。
【０００５】
爪の補修や補強をする手法は、爪の表面にシルクやファイバーグラスなどの繊維を貼り付け、更に、ネイルグルーやネイルフィーラー（ネイルグルーに反応して瞬時に硬化するように加工されたアクリルパウダーの微粒子）を用いて爪の表面にラッピング（接着固定）を行い施術する。
【０００６】
ところで従来は、シルクラップやファイバーラップなどの繊維の裏に粘着剤のない繊維そのものを用いてラッピングが行われていたが、自爪表面への仮着という利便性から近年では裏に粘着剤層のついたシール状のシルクラップやファイバーラップを使用する方法が普及してきた。
【先行技術文献】
【特許文献】
【０００７】
【特許文献１】実用新案登録第３１４８９６２号（段落０００４等）
【発明の概要】
【発明が解決しようとする課題】
【０００８】
しかしながら、爪表面に粘着剤付きのシール状シルクやファイバーグラスからなる繊維を接着し、その上からネイルグルーを塗布するにあたり、繊維の裏一面にシート状の粘着剤層があることにより、ネイルグルーそのものが爪の表面まで十分に届かず、その接着強度が得られないという問題がある。
【０００９】
即ち、従来のシート状粘着層を有するシルクラップだと、図７に示すように、シルクの繊維１１にはネイルグルー１２（図示矢印）が染み込むが、繊維１１の爪６に貼り付ける側（下面）全面にシート状粘着層１３が存在するので、繊維１１の裏側の爪６までネイルグルー１２が回り込みにくくなる。
【００１０】
また、シート状粘着層１３が存在することにより、仕上がった後に透過性が低くなり、透明感が出しにくいので、爪の自然な感じが失われており、必然的にその表面にネイルカラーを塗布して隠す必要があった。
【００１１】
この発明は、上記のような課題を解決し、ネイルグルーが十分に爪にまで達すると共に、作業完了後の爪が自然な感じに仕上がり、ネイルカラー等により爪の補修を隠す必要が無いような爪修理等に用いるシルクラップ又はファイバーラップを提供することを目的とする。
【課題を解決するための手段】
【００１２】
上記のような課題を解決するため、請求項１の発明は、爪の補修やエクステンション用途に用いるシルクラップやファイバーラップにおいて、繊維の裏面側全面にドット状粘着剤を点在的に配置したことを特徴とする爪修理等に用いるシルクラップ又はファイバーラップである。
【００１３】
なお、本発明の対象となる現在使われている爪補修用の繊維は、シルクまたはファイバーグラスであり、それぞれ、シルクラップはシルク繊維からなり、仕上がりが薄くて自然で軽い仕上がりになり、ファイバーラップはガラス繊維からなり、丈夫で耐久性が高い仕上がりとなり、どちらにでも適用できる。
【００１４】
また、ラップの繊維素材に関しては、麻や化学繊維、カーボンといった同じ目的を持ったその他の素材に対しても本発明の適用は有効である。
【００１５】
請求項２の発明は、上記請求項１の発明において、ドット状粘着剤が、ポリアクリル酸エステルを主成分とした粘着剤である構成を採用したものである。
【発明の効果】
【００１６】
以上、請求項１の発明によれば、爪の補修やエクステンションの際に用いるシルクラップやファイバーラップにおいて、無数の小さな点の粘着剤を繊維の裏全面に点在的に付与することにより、粘着剤を従来のシート状粘着層を用いた場合のように、シート状粘着層がネイルグルーの繊維の下の爪まで達するのを妨げるようなことがなく、繊維を通して爪表面にまでネイルグルーを十分に行き渡し接着強度を確保できる。
【００１７】
また、従来のシルクラップを用いた場合は、シート状粘着層の存在により透明感が無く不自然に見えるため、必ずその表面にネイルカラーを塗布して隠す必要があったが、本発明のシルクラップ等を用いれば、ドット状粘着剤が点在するのみであり、仕上がり後も透明感が出て、自爪の甲床（ネイルベット）の色が浮き出て自然に見えるため、必ずしもネイルカラーを塗布しなくてもよいという利点もある。
【００１８】
更に、請求項２の発明のように、ドット状粘着剤は、ポリアクリル酸エステルを主成分とした粘着剤とする場合、ネイルグルーの成分であるシアノアクリレートとも相性が良く一体性が期待できる。
【００１９】
ちなみにシアノアクリレートを主成分とするネイルグルーは、水分に反応して硬化し、その特性から爪表面の凹凸に深く込むものであるが、本発明の場合、繊維の上から塗布したネイルグルーが自爪表面まで十分に届くため、爪表面の水分と反応して高い接着力が期待できる。
【図面の簡単な説明】
【００２０】
【図１】この発明の爪修理用シルクラップまたはファイバーラップの拡大平面図である。
【図２】（ａ）（ｂ）（ｃ）（ｄ）（ｅ）は、この発明の爪修理用シルクラップまたはファイバーラップの製造工程を示す正面図である。
【図３】補修が必要な爪を示すもので（ａ）は平面図、（ｂ）は正面図である。
【図４】本発明の爪修理用シルクラップまたはファイバーラップの使用方法を示すもので、（ａ）は平面図、（ｂ）は正面図である。
【図５】本発明の爪修理用シルクラップまたはファイバーラップの作用を説明する拡大正面図である。
【図６】補修後の爪の一部切欠拡大正面図である。
【図７】従来の爪修理用シルクラップの作用を説明する拡大正面図である。
【発明を実施するための形態】
【００２１】
本発明のシルクラップの構造は、図１の平面図に示すように、シルクラップ１を構成する繊維２に、点在的にドット状粘着剤３が配置されているものであり、本発明のファイバーラップ４の場合も同様の構造である。
【００２２】
＜製造方法＞
このシルクラップ１やファイバーラップ４の製造方法を図２に基づいて説明すれば、まずドット状粘着剤３は、シルク印刷の方式を利用し、インクの代わりにこのドット状粘着剤３を構成する原料（例えば、ポリアクリル酸エステルを主成分とするもの）を使用してドット状に形成するものであり、重剥離フィルム８上に無数のドット（点）を印刷する要領でドット状粘着剤３を複数個印刷してゆく（図２（ａ）参照）。
【００２３】
次に、形成されたドット状粘着剤３の上から軽剥離フィルム９を重ね、ドット状粘着剤３が重剥離フィルム８と軽剥離フィルム９により挟まれる形でドット式の両面シール状となったドット状粘着剤３群が完成される（図２（ｂ）参照）。
【００２４】
その後に軽剥離フィルム９を剥がして取り去り（図２（ｃ）参照）、シルクあるいはグラスファイバーからなる繊維２に貼り付け（図２（ｄ）参照）、必要な大きさに切断加工して商品（シルクラップ１又はファイバーラップ４）とする（図３（ｅ）参照）。
【００２５】
＜使用方法＞
上記製造された本発明のシルクラップ１の使用方法（爪の修理例）を、図３で示すような途中に割れ７が入った爪６を補修する手法について説明する。
【００２６】
まず、爪６の割れ７が生じた部分に対して、前記した重剥離フィルム８を片面に貼り付けたシルクラップ１を、重剥離フィルム８と共に爪６に貼り付ける所定の大きさに切断し、次に、爪６表面を消毒用アルコール等で十分に脱脂消毒し、爪６の根元を４ｍｍ程度あけて、あらかじめカットしたシルクラップ１の重剥離フィルム８を剥がし、ドット状粘着剤３がある方を爪６側に接着するように載せる（図４（ａ）参照）。
【００２７】
この際、シルクラップ１の繊維２の裏面側全面にわたって点在的に存在するドット状粘着剤３が爪６に接着して仮固定され、シルクラップ１が爪６の上で動いたりせず、またドット状粘着剤３はシルクラップ１の繊維２の裏面全体にわたって配置されているので、シルクラップ１全体が爪６に接着しており、部分的に浮いたりもしない。
【００２８】
次に、貼り付けたシルクラップ１の上から、シルクラップ１全面にネイルグルー５を付けてゆき（図４（ｂ）参照）、ネイルグルー５が乾いたら、固まって爪６の先から飛び出ているシルクラップ１を削り、再度ネイルグルー５を付け、これを数回繰り返し、最後に固まったシルクラップ１全体を覆うネイルグルー５を軽く研磨し、爪６の補修が完了する。
【００２９】
図５の通り、シルクラップ１は、裏面側のドット状接着剤３が部分的に点在しているのみであり、ネイルグルー５（図示矢印）は仮固定用のドット状粘着剤３に邪魔されずにシルクラップ１の繊維２を通過し、爪６まで浸透することができるので、接着不足等にならない。
【００３０】
補修が完成した爪６は、図６に示すように、ネイルグルー５がシルクラップ１の繊維２を通じて爪６の部分にまで達しており、また、ドット状粘着剤３は、点在しているのみであるため、爪の自然な透明感を損なっていない。
【００３１】
次に、シルクラップ１の代わりにファイバーラップ４を用いた爪の補修方法を説明するが、ファイバーラップ４を使用する場合、補修用接着剤としてネイルグルー５を用いたり、その他にネイルグルー５の代わりにレジン（遅乾性爪用接着剤）を用いることがあるが、その手法はシルクラップ１を使う方法と同様であり、図解の図３乃至図６も同様に適用できる。
【００３２】
まず、ファイバーラップ４を、補修したい爪６の大きさに合わせてカットし、次に、爪６表面を消毒用アルコール等で十分に脱脂消毒し、爪６の根元を４ｍｍ程度あけて、あらかじめカットしたファイバーラップ４を爪６の上に載せ、ファイバーラップ４の裏面側全面にわたって点在的に存在するドット状粘着剤３により仮固定される（図４（ａ）参照）。
【００３３】
次に、貼り付けたファイバーラップ４の上から、ネイルグルー５（又はレジン、以下、ネイルグルー５にて説明する）を付けてゆき（図４（ｂ）参照）、ネイルグルー５が乾いたら、固まって爪６の先から飛び出ているファイバーラップ４を削り、再度ネイルグルー５を付け、これを数回繰り返し、最後に固まったファイバーラップ４全体を覆うネイルグルー５を軽く研磨し、爪６の補修が完了するが、これらも図５、図６と同様である。
【００３４】
また、ファイバーラップ４の裏面側のドット状接着剤３は部分的に点在しており、ネイルグルー５やレジンは仮固定用のドット状粘着剤３に邪魔されずにファイバーラップ４の繊維２を通過し、爪６まで達するので、接着不足等にならないという効果についても、シルクラップ１の場合と同様である。
【００３５】
なお、上記説明した爪の修理に使用するのは、シルクラップ１でもファイバーラップ４でもどちらでもよく、シルクラップ１を用いた場合は、薄くて自然で軽い仕上がりになり、ファイバーラップ４を用いた場合は、丈夫で耐久性が高いという特徴があり、用途や仕上がり具合の好みにより使用者が適宜選択すれば良い。
【００３６】
また、繊維２に非常に細い糸を使用して編まれたシルクラップ１やファイバーラップ４は、塗布されたネイルグルー５により全体を囲まれ、より透明感が出る。
【符号の説明】
【００３７】
１  シルクラップ
２  繊維
３  ドット状粘着剤
４  ファイバーラップ
５  ネイルグルー
６  爪
７  割れ
８  重剥離テープ
９  軽剥離テープ
【図１】
2014140448.tif 000003
【図２】
2014140448.tif 000004
【図３】
2014140448.tif 000005
【図４】
2014140448.tif 000006
【図５】
2014140448.tif 000007
【図６】
2014140448.tif 000008
【図７】
2014140448.tif 000009